(57)【要約】【課題】風に基づく排水装置からの音鳴りを軽減できる建具を提供すること。【解決手段】引き違い窓は、窓枠と、内障子、外障子とを備え、下枠２０には水抜き口と室外排水口７とが形成され、水抜き口および室外排水口７間における排水経路には排水装置２４が配置される。排水装置２４は、排水開口２４０を有する排水弁ケース２４１と、排水開口２４０を開閉可能に排水弁ケース２４１に取り付けられる弁体２４２とを備える。排水開口２４０は、室外排水口７に対して下枠２０の長手方向に異なる位置に配置される。【選択図】図８
2017179778.tif 000002
【特許請求の範囲】
【請求項１】
横枠および左右の縦枠を枠組みして構成される枠体と、前記枠体内に配置される障子とを備え、
前記横枠には、水抜き口と、前記水抜き口よりも室外側に設けられる室外排水口とが形成され、
前記水抜き口および前記室外排水口間における排水経路には、排水装置が配置され、
前記排水装置は、排水開口を有する排水弁ケースと、前記排水開口を開閉可能に前記排水弁ケースに取り付けられる弁体とを備え、
前記排水開口は、前記室外排水口に対して前記横枠の長手方向に異なる位置に配置される
ことを特徴とする建具。
【請求項２】
横枠および左右の縦枠を枠組みして構成される枠体と、前記枠体内に配置される障子とを備え、
前記横枠には、水抜き口と、前記水抜き口よりも室外側に設けられる室外排水口とが形成され、
前記水抜き口および前記室外排水口間における排水経路には、排水装置が配置され、
前記排水装置は、排水開口を有する排水弁ケースと、前記排水開口を開閉可能に前記排水弁ケースに取り付けられる弁体とを備え、
前記室外排水口の開口面積は、前記排水開口の開口面積よりも小さくされる
ことを特徴とする建具。
【請求項３】
請求項１に記載の建具において、
前記室外排水口の開口面積は、前記排水開口の開口面積よりも小さくされる
ことを特徴とする建具。
【請求項４】
請求項１から請求項３のいずれか一項に記載の建具において、
前記横枠は、前記左右の縦枠と組まれる下枠を有し、
前記下枠は、下枠本体と、下枠本体の室外側に装着される室外カバー部材とを備え、
前記下枠本体および前記室外カバー部材によってホローが形成され、
前記下枠本体には、前記水抜き口が前記ホローに連通して形成され、
前記室外カバー部材は、カバー片部と、前記カバー片部に連続する下見込み片部とを有し、
前記下見込み片部には、前記室外排水口が前記ホローに連通して形成される
ことを特徴とする建具。
【請求項５】
請求項１から請求項３のいずれか一項に記載の建具において、
前記横枠は、前記左右の縦枠と組まれる下枠を有し、
前記下枠は、内部にホローがある押出形材によって形成されるとともに、前記ホローに連通する前記水抜き口および前記室外排水口が形成される
ことを特徴とする建具。
【請求項６】
請求項１から５のいずれか一項に記載の建具において、
前記排水弁ケースおよび前記弁体のうちの一方には、衝撃吸収材が設けられ、
前記衝撃吸収材は、前記弁体の開閉において前記排水弁ケースおよび前記弁体のうちの他方に当接する位置に配置される
ことを特徴とする建具。
【請求項７】
請求項１から請求項５のいずれか一項に記載の建具において、
前記弁体は、前記排水開口に沿って前記排水弁ケースに取り付けられる弾性撓み変形可能な衝撃吸収シート材によって形成され、
前記衝撃吸収シート材は、弾性撓み変形によって前記排水開口を開放可能に前記排水開口に沿って配置される
ことを特徴とする建具。
【発明の詳細な説明】
【技術分野】
【０００１】
本発明は、下枠に排水構造が構成される引き違い窓などの建具に関する。
【背景技術】
【０００２】
従来、建具として、サッシ枠と、サッシ枠に引き違い状に開閉自在に収めた外障子および内障子を備えるサッシが知られている（特許文献１参照）。サッシ枠は、上枠、下枠および左右の竪枠を枠組みして構成される。下枠の上面には、外レールおよび内レールが立設されており、下枠の上面のうち外レールおよび内レール間に位置する部分には水抜き孔が設けられている。また、下枠の室外側壁の下部には排水孔が設けられている。外レールおよび内レール間に浸入した雨水や結露水は、水抜き孔から下枠内に導かれ、排水孔から室外に排水される。
【０００３】
前述した排水孔には、樹脂製の排水弁が取り付けられており、この排水弁は、排水弁ケースと、排水弁ケースに開閉可能に取り付けられる弁体とを備えている。弁体は、雨水等の排水時には開き、室外からの雨風の吹き込み時には閉じて排水孔内に雨風が吹き込むことを防止している。
【先行技術文献】
【特許文献】
【０００４】
【特許文献１】特開２０１２−１２２３０４号公報
【発明の概要】
【発明が解決しようとする課題】
【０００５】
ところで、特許文献１に記載のサッシでは、排水弁の弁体が風によって開閉揺動すると、弁体が排水弁ケースに衝突して衝突音が発生するおそれがあり、風に基づく排水弁の音鳴りを軽減することが困難である。
【０００６】
本発明の目的は、風に基づく排水装置からの音鳴りを軽減できる建具を提供することにある。
【課題を解決するための手段】
【０００７】
本発明の建具は、横枠および左右の縦枠を枠組みして構成される枠体と、前記枠体内に配置される障子とを備え、前記横枠には、水抜き口と、前記水抜き口よりも室外側に設けられる室外排水口とが形成され、前記水抜き口および前記室外排水口間における排水経路には、排水装置が配置され、前記排水装置は、排水開口を有する排水弁ケースと、前記排水開口を開閉可能に前記排水弁ケースに取り付けられる弁体とを備え、前記排水開口は、前記室外排水口に対して前記横枠の長手方向に異なる位置に配置されることを特徴とする。
【０００８】
本発明の建具によれば、室外排水口に風が吹き込んでも、室外排水口に対して排水開口が横枠の長手方向に異なる位置にあるので、室外排水口に吹き込んだ風が排水装置に至るまでの間に弱まる。このため、室外排水口に吹き込む風を受ける弁体の開閉揺動による排水弁ケースとの衝突音の発生を減らし、また、衝突音を小さくできて、排水装置からの音鳴りを軽減できる。
なお、排水開口の全体が室外排水口に対して横枠の長手方向に互いに異なる位置に配置され、室外排水口と排水開口との重なり代をつくらないことが、室外排水口からの吹込み風を弱めるうえで好ましいが、これに限られない。本発明の建具には、室外排水口および排水開口のそれぞれの一部が横枠の長手方向に互いに異なる位置に配置されて、前述した重なり代がつくられてもよく、また、排水開口の一部が室外排水口に対して横枠の長手方向に異なる位置に配置されてもよい。これらの場合でも、室外排水口に吹き込んだ風を弱めて排水装置の音鳴りを軽減できる。
【０００９】
本発明の建具は、横枠および左右の縦枠を枠組みして構成される枠体と、前記枠体内に配置される障子とを備え、前記横枠には、水抜き口と、前記水抜き口よりも室外側に設けられる室外排水口とが形成され、前記水抜き口および前記室外排水口間における排水経路には、排水装置が配置され、前記排水装置は、排水開口を有する排水弁ケースと、前記排水開口を開閉可能に前記排水弁ケースに取り付けられる弁体とを備え、前記室外排水口の開口面積は、前記排水開口の開口面積よりも小さくされることを特徴とする。
【００１０】
本発明の建具によれば、室外排水口に風が吹き込んでも、室外排水口の開口面積が排水開口の開口面積と同等以上である場合と比べ、排水開口よりも開口面積が小さい室外排水口に風が吹き込む際に当該風は弱まる。このため、室外排水口に吹き込む風を受ける弁体の開閉揺動による排水弁ケースとの衝突音の発生を減らし、また、衝突音を小さくできて、排水装置からの音鳴りを軽減できる。
なお、室外排水口の開口面積が排水開口の開口面積よりも小さくされる本発明の建具では、横枠の長手方向において室外排水口の全体が排水開口と重なって配置されていてもよい。
【００１１】
本発明の建具では、前記室外排水口が、前記排水開口に対して前記横枠の長手方向に一部または全体が異なる位置に配置される建具において、前記室外排水口の開口面積は、前記排水開口の開口面積よりも小さくされることが好ましい。
このような構成によれば、室外排水口に風が吹き込んでも、排水開口よりも開口面積が小さい室外排水口に風が吹き込む際に当該風は弱まり、さらに、室外排水口に対して排水開口が横枠の長手方向に異なる位置にあるので、室外排水口に吹き込んだ風が排水装置に至るまでの間に弱まる。このため、室外排水口に吹き込む風を受ける弁体の開閉揺動による排水弁ケースとの衝突音の発生を減らし、また、衝突音を小さくできて、排水装置からの音鳴りをさらに軽減できる。
【００１２】
本発明の建具では、前記横枠は、前記左右の縦枠と組まれる下枠を有し、前記下枠は、下枠本体と、下枠本体の室外側に装着される室外カバー部材とを備え、前記下枠本体および前記室外カバー部材によってホローが形成され、前記下枠本体には、前記水抜き口が前記ホローに連通して形成され、前記室外カバー部材は、カバー片部と、前記カバー片部に連続する下見込み片部とを有し、前記下見込み片部には、前記室外排水口が前記ホローに連通して形成されることが好ましい。
このような構成によれば、下枠本体の室外側に室外カバー部材を装着することで、水抜き口に取り付けられる排水装置を室外側から目隠しできる。また、室外カバー部材の下見込み片部に室外排水口が形成されるので、室外排水口を室外側から目立たない位置に配置できる。
【００１３】
本発明の建具では、前記横枠は、前記左右の縦枠と組まれる下枠を有し、前記下枠は、内部にホローがある押出形材によって形成されるとともに、前記ホローに連通する前記水抜き口および前記室外排水口が形成されることが好ましい。
このような構成によれば、下枠自体に室外排水口が形成されるので、室外排水口を配置するために前述した室外カバー部材を装着する必要がなく、部品点数を削減できる。
【００１４】
本発明の建具では、前記排水弁ケースおよび前記弁体のうちの一方には、衝撃吸収材が設けられ、前記衝撃吸収材は、前記弁体の開閉において前記排水弁ケースおよび前記弁体のうちの他方に当接する位置に配置されることが好ましい。
このような構成によれば、弁体が風を受けて開閉揺動しても、弁体は排水弁ケースに直接当たることはなく、衝撃吸収材によって衝撃が吸収される。このため、排水装置からの音鳴りを軽減できる。
なお、衝撃吸収材としては、弁体と排水弁ケースとの衝突音を軽減できる材料で形成されていればよく、例えば、ゴム、スポンジ、ウレタン材などが挙げられる。ここで、弁体に対して衝撃吸収材を設ける場合には、弁体重量が重くなるので、風による弁体の開閉揺動を小さくでき、排水装置からの音鳴りを軽減できる。弁体に設けられる衝撃吸収材として、スポンジよりもゴムなどの重い材料を選択した場合には、弁体重量がより増加するので、排水装置からの音鳴りをより一層軽減できる。
【００１５】
本発明の建具では、前記弁体は、前記排水開口に沿って前記排水弁ケースに取り付けられる弾性撓み変形可能な衝撃吸収シート材によって形成され、前記衝撃吸収シート材は、弾性撓み変形によって前記排水開口を開放可能に前記排水開口に沿って配置されることが好ましい。
このような構成によれば、弁体自体を衝撃吸収シート材によって形成することで、弁体に衝撃吸収材を取り付ける場合と比べて部品点数を削減できる。
また、衝撃吸収シート材は、弾性撓み変形可能であるとともに共に排水開口に沿って配置されるので、水抜き口側からの雨水等によって弾性撓み変形して排水開口を開放し、排水開口からの排水後に元の状態に戻ることで排水開口を閉鎖することができる。このため、弁体や排水弁ケースに軸部などの開閉構造を構成する必要がなく、排水装置の構成を簡略化できる。
さらに、室外排水口に風が吹き込んでも、衝撃吸収シート材自体の弾性力によって弾性撓み変形が抑制されるので、衝撃吸収シート材の排水弁ケースへの衝突を減らすことができる。加えて、衝撃吸収シート材が排水弁ケースに衝突しても、衝撃吸収シート材によって衝撃を吸収でき、衝突音を小さくできる。これにより、排水装置からの音鳴りを大幅に軽減できる。
なお、衝撃吸収シート材としては、シリコンシートなどが挙げられる。
【発明の効果】
【００１６】
本発明によれば、風に基づく排水装置からの音鳴りを軽減できる建具を提供できる。
【図面の簡単な説明】
【００１７】
【図１】本発明の実施形態に係る引き違い窓を示す外観姿図。
【図２】前記実施形態に係る引き違い窓を示す縦断面図。
【図３】前記実施形態に係る引き違い窓を示す横断面図。
【図４】前記実施形態に係る引き違い窓の下枠を示す縦断面図。
【図５】前記実施形態に係る引き違い窓の下枠における排水経路を示す縦断面図。
【図６】前記実施形態に係る引き違い窓の排水装置を示す説明図。
【図７】前記実施形態に係る引き違い窓の他の排水装置を示す説明図。
【図８】前記実施形態に係る引き違い窓の室外排水口および排水装置の関係を示す説明図。
【図９】本実施形態に係る引き違い窓の室外排水口および排水装置の他の関係を示す説明図。
【図１０】本発明の第１変形例に係る引き違い窓の下枠を示す説明図。
【図１１】図１０に示す排水装置を一部切り欠いて示す斜視図。
【図１２】本発明の第２変形例に係る引き違い窓の下枠を示す説明図。
【発明を実施するための形態】
【００１８】
［本実施形態の構成］
以下、本発明の実施形態を図面に基づいて説明する。
図１〜３において、本実施形態に係る建具である引き違い窓１は、図示しない建物躯体の開口部に設置されるものである。引き違い窓１は、窓枠２（枠体）と、左右引き違い形式にスライド可能に窓枠２内に配置される内障子４（障子）および外障子５（障子）とを備えている。
【００１９】
窓枠２は、上枠１０、下枠２０（横枠）および左右の縦枠３０を枠組みして構成されている。
内障子４は、上框４１、下框４２、左右の縦框４３および面材４４を框組みして構成されている。上框４１、下框４２および左右の縦框４３は、アルミ製の押出形材および樹脂製の押出形材によって形成された複合枠材である。下框４２には、下枠２０の内レール部２１６に嵌合する戸車４５が設けられている。
外障子５は、上框５１、下框５２、左右の縦框５３および面材５４を框組みして構成されている。上框５１、下框５２および戸先側の縦框５３は、アルミ製の押出形材および樹脂製の押出形材によって形成された複合枠材である。召合せ側の縦框５３（召合せ框）は、アルミ製の押出形材によって形成されている。下框５２には、下枠２０の外レール部２２６に嵌合する戸車５５が設けられている。
なお、面材４４，５４は、複層のガラスパネルによって形成されているが、これに限られず、単層のガラスパネルであってもよい。
【００２０】
［下枠］
以下、引き違い窓１における下枠２０の構造を図４〜８を参照して説明する。
下枠２０は、図４に示すように、アルミ製の押出形材によって形成された室内枠材２１および室外枠材２２と、室内枠材２１および室外枠材２２との間に介在される樹脂製の断熱部材２５と、室外枠材２２の室外側に装着される室外カバー部材２６と、下枠２０の後述する内レール部２１６および外レール部２２６間に設けられる上カバー部材２７と、内レール部２１６よりも室内側に設けられる上カバー部材２８とを備えている。室外カバー部材２６は、アルミ製の押出形材によって形成されており、上カバー部材２７，２８は、樹脂製の押出形材によってそれぞれ形成されている。
この下枠２０は、室内枠材２１と室外枠材２２とが断熱部材２５によって縁切りされた断熱仕様の枠材であり、室内枠材２１、室外枠材２２および断熱部材２５によって下枠本体２０Ａが形成されている。
なお、上枠１０も下枠２０と同様に室内枠材および室外枠材間に断熱部材が介在された断熱枠材として構成されており、また、左右の縦枠３０は、アルミ製枠材の室外部分に樹脂製枠材を係合した断熱枠材として構成されている。これにより、引き違い窓１における窓枠２は、断熱窓枠として構成されている。
【００２１】
室内枠材２１は、内障子４の戸車４５を案内する内レール部２１６を有して形成されている。
室外枠材２２は、建物躯体に固定される固定片部２２１と、固定片部２２１から室外側に延びる底片部２２２と、底片部２２２の室内側に設けられて断熱部材２５に係合する係合片部２２３と、係合片部２２３から室外側に延びると共に下方に傾斜した上片部２２４と、上片部２２４の室外側に連続する断面略コ字形状の開口形成部２２５と、開口形成部２２５から上方に延びて外障子５の戸車５５を案内する外レール部２２６と、開口形成部２２５から下方に延びて底片部２２２に連続する室外片部２２７とを有している。
【００２２】
開口形成部２２５は、水抜き口６が形成された見付け片部２２８と、見付け片部２２８から室外側に延びる上見込み片部２２９および下見込み片部２３０とを有している。上見込み片部２２９の室外端には、下方に突出した係合部２２９Ａと上方に突出した網戸レール部２２９Ｂとが形成されている。下見込み片部２３０の室外端には、上方に突出した係合部２３０Ａが形成されている。係合部２２９Ａ，２３０Ａには室外カバー部材２６が係合する。
【００２３】
見付け片部２２８、上見込み片部２２９および下見込み片部２３０によって室外開口空間２３１が形成されている。見付け片部２２８の長手方向における両端側には、水抜き口６がそれぞれ形成されている。各水抜き口６は、凹溝部２９に形成される水溜空間を下枠２０の室外側空間に連通している。各水抜き口６には、排水装置２４が取り付けられている。
【００２４】
［排水装置］
排水装置２４は、図４〜６に示すように、排水開口２４０を有する排水弁ケース２４１と、排水弁ケース２４１に対して開閉自在に上端部が軸支された弁体２４２とを備えている。排水弁ケース２４１および弁体２４２は、例えば、ＡＢＳ樹脂（アクリロニトリル、ブタジエン、スチレンの共重合体）で構成される。
【００２５】
排水弁ケース２４１は、図６（Ａ）〜（Ｃ）に示すように、一対の支持側壁２４３と、一対の支持側壁２４３にわたって設けられる上ケース部２４４および底壁部２４５と、上ケース部２４４から室内側に突出して設けられる差込係合部２４６とを有している。底壁部２４５の後端側は、上方に立ち上げられて形成されている。
上ケース部２４４および底壁部２４５は上下方向に間隔を隔てて配置されており、当該上ケース部２４４および底壁部２４５間に第一排水通路２４７が形成されている。
また、上ケース部２４４には、その上面から下面に連通する第二排水通路２４８が形成されている。
【００２６】
上ケース部２４４は、前壁部２４４Ａと、前壁部２４４Ａの上下両端から室内側に延出した上壁部２４４Ｂおよび下壁部２４４Ｃとを有している。前壁部２４４Ａには上下方向に延びる孔が形成されており、上壁部２４４Ｂには、当該孔に連通する凹溝部が形成されており、これらの孔および凹溝部によって前述した第二排水通路２４８が形成されている。下壁部２４４Ｃの見込み寸法は、図６（Ｃ）に示すように、上壁部２４４Ｂの見込み寸法よりも短く設定され、本実施形態では上壁部２４４Ｂの見込み寸法の略半分の見込み寸法とされている。
【００２７】
差込係合部２４６は、上壁部２４４Ｂの後端および一対の支持側壁２４３から突出した突出片によって形成されており、当該突出片には係合爪が形成されている。この差込係合部２４６は、室外側から水抜き口６に差し込まれて見付け片部２２８に係合する。このように差し込まれて係合することで、排水装置２４は下枠本体２０Ａに取り付けられ、かつ室外開口空間２３１に配置される。
【００２８】
一対の支持側壁２４３の内面には上下方向に沿った段部が形成されており、下壁部２４４Ｃの後端側は下方に垂下して形成されている。一対の支持側壁２４３の段部、下壁部２４４Ｃの垂下した部分および底壁部２４５の前端によって第一排水通路２４７の室外側の開口である排水開口２４０を形成している。
【００２９】
弁体２４２は、略板状に形成されており、排水弁ケース２４１の一対の支持側壁２４３に回転可能に軸支されている。すなわち、弁体２４２は、当該弁体２４２の左右両側に突出した支軸を、一対の支持側壁２４３に形成された軸受穴に挿入することで、回転可能に軸支されている。
弁体２４２は、一対の支持側壁２４３の段部、下壁部２４４Ｃの垂下した部分および底壁部２４５の前端に当接することで、排水開口２４０を閉鎖する。また、弁体２４２の下部側が排水開口２４０から室外側に移動することで、排水開口２４０を開くことができる。
【００３０】
なお、排水弁ケース２４１に軸支される弁体２４２には、例えば図７（Ａ）に示すように、衝撃吸収材６１Ａが設けられていてもよい。図７(Ａ)に示す排水弁ケース２４１内には、リブ２４９が設けられており、衝撃吸収材６１Ａは、弁体２４２の閉鎖状態でリブ２４９に当接する位置に配置されている。このように弁体２４２に衝撃吸収材６１Ａを設けることで、弁体２４２が閉鎖移動して排水弁ケース２４１に衝突したときの衝撃を衝撃吸収材６１Ａで吸収し、衝突音を小さくできる。また、弁体２４２自体に衝撃吸収材６１Ａを設けるので、弁体重量が増加し、排水装置２４からの音鳴りを一層軽減できる。
また、排水弁ケース２４１には、例えば図７(Ａ)に示すように、衝撃吸収材６１Ｂが設けられていてもよい。衝撃吸収材６１Ｂは、下壁部２４４Ｃに設けられ、かつ、弁体２４２の開放状態で当該弁体２４２に当接する位置に配置されている。このように衝撃吸収材６１Ｂを設けることで、弁体２４２が開放移動して排水弁ケース２４１に衝突したときの衝撃を衝撃吸収材６１Ｂで吸収し、衝突音を小さくできる。
さらに、図示しないが、排水弁ケース２４１の左右の支持側壁２４３の内面および弁体２４２の左右の側端面のいずれか一方に衝撃吸収材が設けられてもよい。この場合には、弁体２４２の左右方向の振動に基づく支持側壁２４３との衝突音を軽減できる。
さらにまた、図示しないが、左右の支持側壁２４３の軸受穴に挿入される弁体２４２の支軸を左右方向から押える押え材を設けてもよい。例えば、押え材としてのゴムシートを左右の支持側壁２４３の外面に貼り付けることで、前記支軸を左右方向から押えてもよい。このように構成することでも、弁体２４２の左右方向の振動に基づく支持側壁２４３との衝突音を軽減できる。
なお、前述した各衝撃吸収材６１（６１Ａ，６１Ｂ）は、弁体２４２と排水弁ケース２４１との衝突音を軽減できるゴム、スポンジ、ウレタン材などの材料で形成される。
【００３１】
また、前述した排水装置２４では、弁体２４２は、略板状の樹脂製部材によって形成されているが、これに代えて、例えば図７（Ｂ）に示すように、シリコンシートなどの弾性撓み変形可能な衝撃吸収シート材６２によって形成されていてもよい。衝撃吸収シート材６２の上縁部は、排水弁ケース２４１の下壁部２４４Ｃに接着されている。
衝撃吸収シート材６２は、排水開口２４０に沿って配置されているので、撓み変形を生じていない状態では、排水開口２４０を閉鎖している。また、衝撃吸収シート材６２は、その下部側が排水開口２４０から室外側に撓み変形することで、排水開口２４０を開くことができる。
この排水装置２４では、図７（Ａ）のように弁体２４２に衝撃吸収材６１を取り付ける場合と比べ、衝撃吸収シート材６２自体を弁体とするため、部品点数を削減できる。
また、衝撃吸収シート材６２は、弾性撓み変形可能であるとともに排水開口２４０に沿って配置されるので、水抜き口６側からの雨水等によって弾性撓み変形して排水開口２４０を開放し、排水開口２４０からの排水後に元の状態に戻ることで排水開口２４０を閉鎖することができる。このため、弁体２４２の支軸や排水弁ケース２４１の軸受穴などの開閉構造を構成する必要がなく、排水装置２４の構成を簡略化できる。
さらに、後述する室外排水口７に風が吹き込んでも、衝撃吸収シート材６２自体の弾性力によって弾性撓み変形が抑制されるので、衝撃吸収シート材６２の排水弁ケース２４１への衝突を減らすことができる。加えて、衝撃吸収シート材６２が排水弁ケース２４１に衝突しても、衝撃吸収シート材６２によって衝撃を吸収でき、衝突音を小さくできる。これにより、排水装置２４からの音鳴りを大幅に軽減できる。
【００３２】
室外カバー部材２６は、図４に示すように断面略コ字形状に形成されている。室外カバー部材２６は、カバー見付け片部２６１および上見込み片部２６２によって形成されるカバー片部２６０と、カバー片部２６０に連続している下見込み片部２６３とを有している。上見込み片部２６２は、カバー見付け片部２６１の上縁側から室内側に延出しており、室内側の端縁で係合部２２９Ａに係合している。下見込み片部２６３は、カバー見付け片部２６１の下縁側から室内側に延出しており、室内側の端縁で係合部２３０Ａに係合している。下見込み片部２６３には、図１に示すように二つの室外排水口７が形成されている。
【００３３】
室外カバー部材２６の下枠本体２０Ａへの装着状態では、室外カバー部材２６および下枠本体２０Ａの開口形成部２２５によってホロー８が形成される。
水抜き口６は、開口形成部２２５の見付け片部２２８に形成されているので、排水装置２４の排水開口２４０を経てホロー８に連通している。
室外排水口７は、室外カバー部材２６の下見込み片部２６３に形成されているので、ホロー８に連通している。
【００３４】
室外カバー部材２６の下枠本体２０Ａへの装着状態では、二つの室外排水口７は、図１に示すように下枠２０の長手方向において排水開口２４０よりも中央側であって、図４に示すように水抜き口６および排水開口２４０よりも室外側にそれぞれ配置される。
図８（Ａ）は、図１に示す下枠２０の左側部分を拡大して示しており、図８（Ｂ）は、室外カバー部材２６の左側部分を下側から示している。図８に示すように、室外排水口７は、排水装置２４の排水開口２４０に対して下枠２０の長手方向に間隔Ｌ１を隔てて配置されており、室外排水口７の全体と排水開口２４０の全体とが下枠２０の長手方向に互いに異なる位置に配置される。このため、下枠２０の長手方向において室外排水口７と排水開口２４０との重なり代はつくられない。
ここで、間隔Ｌ１は、室外排水口７から吹き込む風による弁体２４２の開閉揺動と排水開口２４０から流出する雨水等を室外排水口７から排水する排水性とを考慮して設定される。例えば、室外排水口７から吹き込む風による弁体２４２の開閉揺動を小さくしたい場合には、間隔Ｌ１を比較的長く設定する。また、排水開口２４０から室外排水口７への排水性を向上したい場合には、間隔Ｌ１を比較的短く設定する。
また、本実施形態では、各室外排水口７の開口面積は、各排水開口２４０の開口面積よりも小さく設定されている。
【００３５】
なお、室外カバー部材２６は、室外排水口７に代えて、図９（Ａ）に示すように、下見込み片部２６３に形成された複数の孔によって構成される室外排水口７Ａを有していてもよい。この場合、室外排水口７Ａの開口面積（複数の孔の開口面積の総和）は排水開口２４０の開口面積よりも小さく設定されていてもよい。
【００３６】
また、図９（Ｂ）に示すように、下枠２０の長手方向において室外排水口７の一部が排水開口２４０の一部に重なって重なり代Ｌ２がつくられてもよい。この場合でも、排水開口２４０の一部が室外排水口７に対して下枠２０の長手方向に異なる位置に配置される。
【００３７】
以上の引き違い窓１による排水は次の通りである。
雨によって雨水等が下枠２０の凹溝部２９に溜まると、弁体２４２が水圧で室外側に回動して開かれ、雨水等は水抜き口６から第一排水通路２４７を通って排水開口２４０から室外側へ流出し、室外排水口７から室外に排水される。排水後、弁体２４２は、その自重により室内側に回動して排水開口２４０を閉鎖する。
また、外レール部２２６、上見込み片部２２９および網戸レール部２２９Ｂによって形成される凹溝部に雨水等が降り込んだ場合には、雨水等は上見込み片部２２９に形成された孔から排水装置２４の第二排水通路２４８を通ってホロー８に流出し、室外排水口７から室外に排水される。
【００３８】
［本実施形態の効果］
（１）本実施形態では、上枠１０、下枠２０および左右の縦枠３０を枠組みして構成される窓枠２と、窓枠２内に配置される内障子４および外障子５とを備え、下枠２０には、水抜き口６と、水抜き口６よりも室外側に設けられる室外排水口７とが形成され、水抜き口６および室外排水口７間における排水経路には、排水装置２４が配置され、排水装置２４は、排水開口２４０を有する排水弁ケース２４１と、排水開口２４０を開閉可能に排水弁ケース２４１に取り付けられる弁体２４２とを備え、排水開口２４０は、室外排水口７に対して下枠２０の長手方向に異なる位置に配置されることを特徴とする。
上記構成を有するため、室外排水口７に風が吹き込んでも、室外排水口７に対して排水開口２４０が下枠２０の長手方向に異なる位置にあるので、室外排水口７に吹き込んだ風が排水装置２４に至るまでの間に弱まる。このため、室外排水口７に吹き込む風を受ける弁体２４２の開閉揺動による排水弁ケース２４１との衝突音の発生を減らし、また、衝突音を小さくできて、排水装置２４からの音鳴りを軽減できる。
排水弁ケース２４１と弁体２４２との衝突音は、一般に、２５００Ｈｚ付近から４０００Ｈｚをピークに、それ以上の周波域で当該衝突音を除く室外側の暗騒音よりも音圧レベルが大きい。本実施形態では、前述した衝突音は、室外排水口７に吹き込んだ風が排水開口２４０側に至る間に弱まるので、音圧レベルを小さくできる。これにより、排水装置２４からの音鳴りを軽減できる。
さらに、本実施形態では、以下の各効果を発揮できる。
（２）室外排水口７（７Ａ）の開口面積は、排水開口２４０の開口面積よりも小さくされる。このため、室外排水口７（７Ａ）に風が吹き込んでも、例えば室外排水口７（７Ａ）の開口面積が排水開口２４０の開口面積と同等以上である場合と比べ、排水開口２４０よりも開口面積が小さい室外排水口７（７Ａ）に風が吹き込む際に当該風は弱まる。このため、室外排水口７（７Ａ）に吹き込む風を受ける弁体２４２の開閉揺動による排水弁ケース２４１との衝突音の発生を減らし、また、衝突音を小さくできて、排水装置２４からの音鳴りを軽減できる。
（３）下枠２０は、下枠本体２０Ａと、下枠本体２０Ａの室外側に装着される室外カバー部材２６とを備え、下枠本体２０Ａおよび室外カバー部材２６によってホロー８が形成され、下枠本体２０Ａには、水抜き口６がホロー８に連通して形成され、室外カバー部材２６は、カバー片部２６０と、カバー片部２６０に連続する下見込み片部２６３とを有し、下見込み片部２６３には、室外排水口７がホロー８に連通して形成される。
このため、下枠本体２０Ａの室外側に室外カバー部材２６を装着することで、水抜き口６に取り付けられる排水装置２４を室外側から目隠しできる。また、室外カバー部材２６の下見込み片部２６３に室外排水口７が形成されるので、室外排水口７を室外側から目立たない位置に配置できる。
【００３９】
［変形例］
本発明は、以上の実施形態で説明した構成のものに限定されず、本発明の目的を達成できる範囲での変形例は、本発明に含まれる。
例えば、前記実施形態では、排水開口２４０は、室外排水口７に対して下枠２０の長手方向に異なる位置に配置されるが、これに限られず、例えば、下枠２０の長手方向において排水開口２４０が室外排水口７に重なり合っていても、室外排水口７の開口面積が排水開口２４０の開口面積よりも小さく形成されていればよい。これにより、室外排水口７に吹き込む風を弱めて排水装置２４からの音鳴りを軽減できる。
【００４０】
前記実施形態では、室外排水口７の開口面積が排水開口２４０の開口面積よりも小さくされているが、これに限られず、同等以上の開口面積であってもよい。この場合、排水開口２４０は、室外排水口７に対して下枠２０の長手方向に異なる位置に配置される。これにより、室外排水口７に吹き込む風が排水開口２４０側に至る間に弱まり、排水装置２４からの音鳴りを軽減できる。
【００４１】
前記実施形態では、図７（Ａ）において弁体２４２に設けられる衝撃吸収材６１を説明したが、これに限られず、弁体２４２ではなく排水弁ケース２４１に衝撃吸収材６１が設けられてもよい。排水弁ケース２４１に設けられる衝撃吸収材６１は、弁体２４２の開閉において当該弁体２４２に当接する位置に配置される。この場合でも、衝撃吸収材６１によって排水弁ケース２４１と弁体２４２との衝突を吸収して、排水装置２４からの音鳴りを軽減できる。
【００４２】
前記実施形態では、排水開口２４０を開閉する排水装置２４を水抜き口６に取り付け、かつ、室外排水口７が形成された室外カバー部材２６を下枠本体２０Ａに装着しているが、これに限られない。例えば、図１０（Ａ）および図１０（Ｂ）に示すように、室外カバー部材２６の構成を省略し、排水装置２４に代えて、排水開口２４０および室外排水口７の双方を有する排水装置７０を備えていてもよい。排水装置７０は、排水装置２４と同様に水抜き口６に差し込まれて下枠２０の開口形成部２２５に取り付けられる。なお、室外カバー部材２６の構成が省略されるので、これと係合する係合部２２９Ａ，２３０Ａの構成も省略される。
【００４３】
排水装置７０は、図１１に示すように、左右方向に延びた筐体７１と、筐体７１の左右方向における一方側（図１１における左側）に設けられる排水弁部２４Ａと、筐体７１の左右方向における他方側（図１１における右側）に形成される室外排水口７とを有している。
筐体７１は、上壁部７２、下壁部７３、前壁部７４、後壁部７５および一対の側壁部７６を有して断面略矩形状に形成されている。上壁部７２、下壁部７３、前壁部７４、後壁部７５は一対の側壁部７６にわたって設けられている。
【００４４】
排水弁部２４Ａは、前述した排水装置２４と略同様に構成されているので、共通部分については図面に同符号を適宜付す。なお、排水弁部２４Ａの排水弁ケース２４１の図１１に示す左側部分には、支持側壁２４３がない代わりに、側壁部７６が設けられている。また、排水弁部２４Ａの前壁部２４４Ａのうち第二排水通路２４８よりも前方側の部分は、筐体７１の前壁部７４によって構成されている。
【００４５】
室外排水口７は、図１１において下壁部７３の右側部分に形成されている。室外排水口７は、排水弁部２４Ａの排水開口２４０から左右方向に間隔Ｌ１（図１０（Ｂ）参照）を隔てて配置されている。
なお、開口形成部２２５には、排水装置７０の装着状態で室外排水口７と重なる部分がある場合には当該部分が切り欠かれる。
また、図１１に示す排水装置７０は、下枠２０の左側部分に設置されるものであり、下枠２０の右側部分に設置される排水装置は、左右逆向きに構成される。
【００４６】
この排水装置７０を備える引き違い窓１によれば、室外カバー部材２６を装着する必要がなく、部品点数を削減できる。また、排水開口２４０と室外排水口７との双方が排水装置７０に形成されるので、排水開口２４０と室外排水口７との左右方向の間隔Ｌ１が施工の如何によって変わることがなく、音鳴りを所定通りに軽減できる。
【００４７】
前記実施形態では、下枠本体２０Ａに室外カバー部材２６を装着することで、ホロー８を形成し、かつホロー８に連通する水抜き口６および室外排水口７を形成しているが、これに限られない。例えば、図１２（Ａ）および図１２（Ｂ）に示す第２変形例のように、樹脂製の押出形材によってホロー８を有する下枠８０（横枠）を一体に形成してもよい。
【００４８】
下枠８０は、室外見付け片部８１、上見込み片部８２、下見込み片部８３、室内見付け片部８４、内レール部８５、外レール部８６および網戸レール部８７を有しており、外レール部８６の下方では、上見込み片部８２および下見込み片部８３に仕切り片部８８が連続しており、仕切り片部８８よりも室内側に位置する仕切り片部８９も上見込み片部８２および下見込み片部８３に連続している。
【００４９】
室外見付け片部８１、上見込み片部８２、下見込み片部８３および仕切り片部８８によってホロー８が形成されている。水抜き口６は、上見込み片部８２に形成されてホロー８に連通しており、室外排水口７は、室外見付け片部８１に形成されてホロー８に連通している。
【００５０】
この下枠８０には、排水装置２４Ｂが上方から水抜き口６に差し込まれる。この排水装置２４Ｂは、前述した排水装置２４と比べて、差込係合部２４６がなく底壁部２４５の後端側の立上げ部分によって後壁部が形成されており、上側部分が開口している点で異なっている。また、第二排水通路２４８も形成されていない。
下枠８０においても、排水開口２４０と室外排水口７とは間隔Ｌ１を隔てて配置されている。
【００５１】
図１２に示す下枠８０を備える引き違い窓１によれば、下枠８０自体に室外排水口７が形成されるので、室外排水口７を配置するために前述した室外カバー部材２６を装着する必要がなく、部品点数を削減できる。
なお、下枠８０は、樹脂製の押出形材によって一体に形成されることとしたが、一体に形成された押出形材であればよく、例えばアルミ製の押出形材によって一体に形成されてもよい。
【００５２】
前記実施形態では、排水装置２４が水抜き口６に取り付けられているが、これに限られず、水抜き口６および室外排水口７間における排水経路に設置されていればよい。
【００５３】
前記実施形態では、建具として引き違い窓１を説明したが、下枠に水抜き口および室外排水口が形成され、かつ水抜き口に排水装置が取り付けられる建具であればよいので、引き違い窓１のほか、片引き窓、固定窓、開き窓であってもよく、また、扉、ドアであってもよい。さらに、建具はカーテンウォールであってもよく、この場合、前述した排水構造は下枠のほか、無目（横枠）に構成されていてもよい。
【符号の説明】
【００５４】
１…引き違い窓（建具）、１０…上枠、２…窓枠（枠体）、２０，８０…下枠（横枠）、２０Ａ…下枠本体、２１…室内枠材、８５，２１６…内レール部、２２…室外枠材、２２１…固定片部、２２２…底片部、２２３…係合片部、２２４…上片部、２２５…開口形成部、８６，２２６…外レール部、２２７…室外片部、２２８…見付け片部、８２，２２９，２６２…上見込み片部、２２９Ａ，２３０Ａ…係合部、８７，２２９Ｂ…網戸レール部、８３，２３０，２６３…下見込み片部、２３１…室外開口空間、２４，２４Ｂ，７０…排水装置、２４Ａ…排水弁部、２４０…排水開口、２４１…排水弁ケース、２４２…弁体、２４３…支持側壁、２４４…上ケース部、７４，２４４Ａ…前壁部、７２，２４４Ｂ…上壁部、７３，２４４Ｃ…下壁部、２４５…底壁部、２４６…差込係合部、２４７…第一排水通路、２４８…第二排水通路、２４９…リブ、２４Ａ…排水弁部、２５…断熱部材、２６…室外カバー部材、２６０…カバー片部、２６１…カバー見付け片部、２７，２８…上カバー部材、２９…凹溝部、３０…縦枠、４…内障子（障子）、４１，５１…上框、４２，５２…下框、４３，５３…縦框、４４，５４…面材、４５，５５…戸車、５…外障子（障子）、６…水抜き口、６１（６１Ａ，６１Ｂ）…衝撃吸収材、６２…衝撃吸収シート材、７，７Ａ…室外排水口、７１…筐体、７５…後壁部、７６…側壁部、８…ホロー、８１…室外見付け片部、８４…室内見付け片部、８８，８９…仕切り片部、Ｌ２…重なり代。
【図１】
2017179778.tif 000003
【図２】
2017179778.tif 000004
【図３】
2017179778.tif 000005
【図４】
2017179778.tif 000006
【図５】
2017179778.tif 000007
【図６】
2017179778.tif 000008
【図７】
2017179778.tif 000009
【図８】
2017179778.tif 000010
【図９】
2017179778.tif 000011
【図１０】
2017179778.tif 000012
【図１１】
2017179778.tif 000013
【図１２】
2017179778.tif 000014